(57)【要約】【課題】簡易な構成で、ガス使用状態で警備状態に切り替えることを防止し、監視領域の火災等の災害を軽減する。【解決手段】監視領域において、警備装置１００の動作を決定する複数の状態からなる警備モードの設定として、異常が検知された場合に通報を行う警備状態と異常を検知しても通報を行わない警備解除状態とのいずれかの操作を受け付けるコントローラ１１０と、受け付けた操作に従って、警備モードを警備状態と警備解除状態との間で切替える警備モード切替部１５１と、警備状態の操作を受け付けた場合、監視領域においてガス使用状態を判断するガス栓開閉判断部１５４とを備え、警備モード切替部１５１は、警備状態の操作を受け付けた場合で、ガス使用状態がガスが使用されていない状態であると判断された場合、警備モードを警備解除状態から警備状態に切替える。【選択図】        図２
2010033458.tif 000002
【特許請求の範囲】
【請求項１】
監視領域の警備を行う警備装置であって、
前記監視領域において、異常を検知した場合における通報先への通報の可否または前記監視領域に対する報知の可否など、前記警備装置の動作を決定する複数の状態からなる警備モードの設定として、異常が検知された場合に通報を行う警備状態と異常を検知しても通報を行わない警備解除状態とのいずれかの操作を受け付ける警備操作受付手段と、
受け付けた前記操作に従って、前記警備モードを、前記警備状態と前記警備解除状態との間で切替える警備モード切替手段と、
前記警備状態の操作を受け付けた場合、前記監視領域において、ガス使用状態を判断する使用判断手段と、を備え、
前記警備モード切替手段は、前記警備状態の操作を受け付けた場合で、前記ガス使用状態がガスが使用されていない状態であると判断された場合、前記警備モードを前記警備解除状態から前記警備状態に切替えることを特徴とする警備装置。
【請求項２】
前記警備状態の操作を受け付けた場合で、前記ガス使用状態がガスが使用されている状態であると判断された場合、前記警備モードを前記警備解除状態から前記警備状態に切替えることができない旨の切替情報を出力する出力手段をさらに備えることを特徴とする請求項１に記載の警備装置。
【請求項３】
前記使用判断手段は、前記監視領域におけるガス栓を開放または閉鎖する遮断弁が開放状態か閉鎖状態かを判断することにより、前記ガス使用状態を判断し、
前記警備モード切替手段は、前記警備状態の操作を受け付けた場合で、前記使用判断手段によりガス栓が閉鎖状態であると判断された場合、前記警備モードを前記警備解除状態から前記警備状態に切替え、
前記出力手段は、前記警備状態の操作を受け付けた場合で、前記使用判断手段によりガス栓が開放状態であると判断された場合、前記切替情報を出力することを特徴とする請求項２に記載の警備装置。
【請求項４】
前記使用判断手段は、前記監視領域におけるガス栓を開放または閉鎖する遮断弁が開放状態か閉鎖状態かを判断することにより、前記ガス使用状態を判断し、
前記警備状態の操作を受け付けた場合で、前記使用判断手段によりガス栓が開放状態であると判断された場合、前記遮断弁によりガス栓を閉鎖することを促す旨の第１メッセージを出力する出力手段と、
前記遮断弁によりガス栓を閉鎖する旨の閉鎖指示の操作を受付けるガス栓操作受付手段と、
前記第１メッセージを出力した後、予め定められた所定時間内に前記閉鎖指示の操作を受付けた場合、前記遮断弁によりガス栓を閉鎖する制御を行う遮断弁制御手段と、をさらに備え、
前記警備モード切替手段は、前記第１メッセージが出力された後に、前記所定時間内に第１ガス栓操作受付手段によって前記閉鎖指示を受け付けた場合であって、かつ前記使用判断手段により前記ガス栓が閉鎖状態であると判断された場合、前記警備モードを前記警備解除状態から前記警備状態に切替え、
前記出力手段は、前記第１メッセージが出力された後に、前記所定時間内に第１ガス栓操作受付手段によって前記閉鎖指示を受け付けなかった場合、前記警備モードを前記警備解除状態から前記警備状態に切替えることができない旨の切替情報を出力することを特徴とする請求項１に記載の警備装置。
【請求項５】
ガスの使用が許可された時間帯を示す許可時間情報を記憶する許可時間記憶手段をさらに備え、
前記出力手段は、前記警備解除状態に切替えられた状態において、現在の時刻が前記許可時間情報に含まれていない場合で、前記使用判断手段によりガス栓が開放状態であると判断された場合、前記遮断弁によりガス栓を閉鎖することを促す旨の第１メッセージを出力することを特徴とする請求項３に記載の警備装置。
【請求項６】
前記出力手段は、前記警備解除状態に切替えられた状態において、現在の時刻が前記許可時間情報に含まれている場合で、前記使用判断手段によりガス栓が閉鎖状態であると判断された場合、前記遮断弁によりガス栓を開放することを促す旨の第２メッセージを出力することを特徴とする請求項５に記載の警備装置。
【請求項７】
前記遮断弁によりガス栓を開放する旨の開放指示の操作を受付けるガス栓操作受付手段と、
前記第２メッセージが出力された後、前記開放指示の操作を受け付けた場合、前記遮断弁によりガス栓を開放する制御を行う遮断弁制御手段とをさらに備えたことを特徴とする請求項６に記載の警備装置。
【請求項８】
前記使用判断手段は、前記監視領域において使用するガスの流量を計測する流量計測装置によりガスが流れているか否かを判断することにより、前記ガス使用状態を判断し、
前記警備モード切替手段は、前記警備状態の操作を受け付けた場合で、前記使用判断手段によりガスが流れていないと判断された場合、前記警備モードを前記警備解除状態から前記警備状態に切替え、
前記出力手段は、前記警備状態の操作を受け付けた場合で、前記使用判断手段によりガスが流れていると判断された場合、前記切替情報を出力することを特徴とする請求項２に記載の警備装置。
【請求項９】
ガスの使用が許可された時間帯を示す許可時間情報を記憶する許可時間記憶手段をさらに備え、
前記出力手段は、前記警備解除状態に切替えられた状態において、現在の時刻が前記許可時間情報に含まれていない場合で、前記使用判断手段によりガスが流れていると判断された場合、ガスが使用されている旨の第３メッセージを出力することを特徴とする請求項８に記載の警備装置。
【請求項１０】
前記使用判断手段は、前記監視領域において使用するガスの流量を計測する流量計測装置により計測されたガスの流量が予め定められた閾値以上か否かを判断することにより、前記ガス使用状態を判断し、
前記警備モード切替手段は、前記警備状態の操作を受け付けた場合で、前記使用判断手段によりガスの流量が前記閾値以下であると判断された場合、前記警備モードを前記警備解除状態から前記警備状態に切替え、
前記出力手段は、前記警備状態の操作を受け付けた場合で、前記使用判断手段によりガスの流量が前記閾値以上であると判断された場合、前記切替情報を出力することを特徴とする請求項２に記載の警備装置。
【請求項１１】
ガスの使用が許可された時間帯を示す許可時間情報を記憶する許可時間記憶手段をさらに備え、
前記出力手段は、前記警備解除状態に切替えられた状態において、現在の時刻が前記許可時間情報に含まれていない場合で、前記使用判断手段によりガスの流量が前記閾値以上であると判断された場合、ガスが使用されている旨の第３メッセージを出力することを特徴とする請求項１０に記載の警備装置。
【請求項１２】
所定の監視処理を実行する監視センタに通報を行う通報手段をさらに備え、
前記使用判断手段は、前記警備状態に切替えられた状態において、ガスが使用されている状態か否かを判断し、
前記通報手段は、前記警備状態に切替えられた状態において、ガスが使用されている状態であると判断された場合、前記監視センタに通報を行うことを特徴とする請求項２〜１１のいずれか一つに記載の警備装置。
【請求項１３】
前記警備モード切替手段は、前記警備解除状態の操作を受けた場合、前記警備モードを、前記警備状態から前記警備解除状態に切替え、
前記出力手段は、前記警備解除状態に切替えられた場合で、前記使用判断手段によりガス栓が閉鎖状態であると判断された場合、前記遮断弁によりガス栓を開放することを促す旨の第２メッセージを出力することを特徴とする請求項３に記載の警備装置。
【請求項１４】
前記遮断弁によりガス栓を開放する旨の開放指示の操作を受付けるガス栓操作受付手段と、
前記第２メッセージが出力された後、前記開放指示の操作を受け付けた場合、前記遮断弁によりガス栓を開放する制御を行う遮断弁制御手段をさらに備えることを特徴とする請求項１３に記載の警備装置。
【請求項１５】
監視領域の警備を行う警備装置で実行する警備方法であって、
前記監視領域において、異常を検知した場合における通報先への通報の可否または前記監視領域に対する報知の可否など、前記警備装置の動作を決定する複数の状態からなる警備モードの設定として、異常が検知された場合に通報を行う警備状態と異常を検知しても通報を行わない警備解除状態とのいずれかの操作を受け付ける警備操作受付ステップと、
前記警備状態の操作を受け付けた場合、前記監視領域において、ガス使用状態を判断する使用判断ステップと、
前記警備状態の操作を受け付けた場合で、前記ガス使用状態がガスが使用されていない状態であると判断された場合、前記警備モードを前記警備解除状態から前記警備状態に切替える警備モード切替ステップと、
を含むことを特徴とする警備方法。
【発明の詳細な説明】
【技術分野】
【０００１】
本発明は、監視領域におけるガスの使用状態と連動して監視領域の警備を行う警備装置および警備方法に関する。
【背景技術】
【０００２】
利用者が不在である監視領域において不審者の侵入などによる異常を検知した場合、監視センタに通報したり、監視領域に警報を出力する警備装置が一般的に知られている。このような従来の警備装置では、通常外出の際などに警備の設定を行うが、ガス栓の閉め忘れなどによりガスが使用状態のままであっても警備を設定することが可能であるため、ガスが使用された状態に対しては何ら対処することができなかった。
【０００３】
ここで、ガス元栓から、ガスコンロへの供給配管中に、ガス流入部とガス流出部の圧力差を検知しガスコンロの使用状態を監視することで、未使用時には常に閉じ使用時に開く自動遮断弁を配し、ガスコンロ設置場所に光学的センサなどの人体感知装置を設置し、センサからの信号を受けた制御器が自動遮断弁を制御するガス誤使用防止および遮断装置が開示されている（例えば、特許文献１参照）。この特許文献１の技術では、利用者がガスを使用中、該使用現場から離れた場合に警報を発することで利用者に注意を促し、さらに一定時間利用者を検知できなかった場合はガス元栓を遮断するものである。
【０００４】
【特許文献１】特開２００６−２７７７０４号公報
【発明の開示】
【発明が解決しようとする課題】
【０００５】
しかしながら、特許文献１の装置では、一定時間利用者がガスの使用現場から離れた場合にガス元栓を遮断（閉鎖）するものの、ガス元栓の閉め忘れを軽減することはできず、また、警備装置ではないため監視領域の警備も行うことができない。また、特許文献１の装置では、ガスの利用者を検知するための専用のセンサが必要となるため構成が複雑となってしまう。また、従来の警備装置では、例えば、飲食店などにおいて利用者が外出する際に店内（監視領域）の警備を設定した場合に、ガス元栓を閉め忘れたまま監視領域から退館してしまうと、ガスに起因する火災等の重大な問題を引き起こすおそれがある。
【０００６】
本発明は、上記に鑑みてなされたものであって、別個にセンサ等を設けることなく簡易な構成で、ガスが使用されている状態において警備状態に切り替えてしまうことを防止し、監視領域の火災等の災害を軽減することができる警備装置および警備方法を提供することを目的とする。
【課題を解決するための手段】
【０００７】
上述した課題を解決し、目的を達成するために、本発明は、監視領域の警備を行う警備装置であって、前記監視領域において、異常を検知した場合における通報先への通報の可否または前記監視領域に対する報知の可否など、前記警備装置の動作を決定する複数の状態からなる警備モードの設定として、異常が検知された場合に通報を行う警備状態と異常を検知しても通報を行わない警備解除状態とのいずれかの操作を受け付ける警備操作受付手段と、受け付けた前記操作に従って、前記警備モードを、前記警備状態と前記警備解除状態との間で切替える警備モード切替手段と、前記警備状態の操作を受け付けた場合、前記監視領域において、ガス使用状態を判断する使用判断手段と、を備え、前記警備モード切替手段は、前記警備状態の操作を受け付けた場合で、前記ガス使用状態がガスが使用されていない状態であると判断された場合、前記警備モードを前記警備解除状態から前記警備状態に切替えることを特徴とする。
【０００８】
また、本発明は、監視領域の警備を行う警備装置で実行する警備方法であって、前記監視領域において、異常を検知した場合における通報先への通報の可否または前記監視領域に対する報知の可否など、前記警備装置の動作を決定する複数の状態からなる警備モードの設定として、異常が検知された場合に通報を行う警備状態と異常を検知しても通報を行わない警備解除状態とのいずれかの操作を受け付ける警備操作受付ステップと、前記警備状態の操作を受け付けた場合、前記監視領域において、ガス使用状態を判断する使用判断ステップと、前記警備状態の操作を受け付けた場合で、前記ガス使用状態がガスが使用されていない状態であると判断された場合、前記警備モードを前記警備解除状態から前記警備状態に切替える警備モード切替ステップと、を含むことを特徴とする。
【発明の効果】
【０００９】
本発明によれば、監視領域に対する警備状態の操作を受け付けた場合であって、ガスが使用されていない状態であると判断された場合に、警備解除状態から警備状態に切替えるため、別個にセンサ等を設けることなく簡易な構成で、ガスが使用されている状態において警備状態に切り替えてしまうことを防止して、監視領域の火災等の災害を軽減することができるという効果を奏する。
【発明を実施するための最良の形態】
【００１０】
以下に添付図面を参照して、この発明にかかる警備装置および警備方法の最良な実施の形態を詳細に説明する。
【００１１】
（実施の形態１）
本実施の形態にかかる警備装置は、監視領域における警備の設定または解除等と、監視領域におけるガスの使用の有無とを関連付けた処理を行うものである。
【００１２】
図１は、実施の形態１にかかる警備装置を含む警備システムを示す図である。図１に示すように、警備装置１００は、センサ１０１およびガス流量計測装置１０４が接続され、ネットワーク２００を介して監視センタ３００を接続されている。
【００１３】
ネットワーク２００は、電話回線、無線ネットワーク、インターネットなどであり、警備装置１００と監視センタ３００とを接続するものである。
【００１４】
監視センタ３００は、監視領域の異常を検知した警備装置１００からの通報を受け、待機中の警備員に対して異常が検知された監視領域へ向かう旨の指示を出すとともに、必要に応じて警察や消防など関係機関への通報を行うセンタである。また、監視センタ３００は、監視領域の異常を検知した旨の通報を受けた場合、監視領域から外出している利用者の所持する携帯電話等の携帯端末にその旨の連絡を送信する構成としてもよい。
【００１５】
センサ１０１は、監視領域内に設置され、当該監視領域に入ってきた者等を検知する人感センサである。センサ１０１とは、例えば、赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検出する各種センサ等が該当する。
【００１６】
ガス流量計測装置１０４は、監視領域に備えられているガス管１０５を通過するガスの流量を計測する装置であり、計測したガスの流量を遮断弁コントローラ１０２に送出する。
【００１７】
次に、警備装置１００の詳細について説明する。図２は、実施の形態１にかかる警備装置の構成を示すブロック図である。図２に示すように、警備装置１００は、監視領域の警備モードが警備状態であるときに、監視領域に入館した不正な入館者（侵入者）などの異常を検知した場合、監視センタ３００に異常通報を行ったり、監視領域内に警報を出力する。
【００１８】
ここで、「警備モード」とは、監視領域において異常検知した際の通報先への通報の可否、または監視領域に対する報知の可否などを定めたモードであり、異常を検知したときの警備装置１００の動作を決定するモードである。警備モードは、通報の可否および通報先、監視領域への報知の有無などによって複数のモードが存在し、代表的な警備モードとしては、警備状態、警備解除状態がある。
【００１９】
まず、「警備状態」とは、主に利用者が外出中、警備を必要とする場合に設定する警備モードであり、センサによって異常を検知したときに発せられる検知信号を警備装置が受信した場合に、監視センタに異常を知らせる警報を通報する状態である。なお、警備装置の設置されている監視領域において異常を検知したことを報知する場合もある。これは、侵入者を威嚇する目的や誤報である場合に警報解除操作を促す目的で報知するものである。
【００２０】
また、「警備解除状態」とは、主に利用者が在宅中、警備を必要としない場合に設定する警備モードであり、センサによって異常を検知したときに発せられる検知信号を警備装置が受信した場合でも、監視センタへの警報の通報を行わず、監視領域における異常があるとは判断しない状態である。これは、センサにより異常を検知（人の存在の検知、扉の開閉の検知）しても、在宅中の利用者を検知したものと判断するためである。
【００２１】
図２に示すように、警備装置１００は、コントローラ１１０と、遮断弁コントローラ１０２と、表示装置１７０と、スケジュール記憶部１８０と、入出力制御部１２０と、通信制御部１３０と、制御部１５０とを主に備えている。ここで、スケジュール記憶部１８０と、入出力制御部１２０と、通信制御部１３０と、制御部１５０とは、警備装置１００本体に備えられている。また、さらに、遮断弁コントローラ１０２には、遮断弁１０３が接続されている。
【００２２】
コントローラ１１０は、監視領域の出入口などに備えられており、操作表示部１１１を有し、その操作表示部１１１から監視領域に対して入館または退館する者（利用者）による操作入力を受け付けるものである。具体的には、監視領域への入館者により、警備モードを警備状態から警備解除状態に切替える操作（切替操作）を受け付けたり、監視領域からの退館者により、警備モードを警備解除状態から警備状態に切替える操作（切替操作）などを受け付ける。そして、コントローラ１１０は、受け付けた切替操作による警備モード（警備状態または警備解除状態）を示す切替信号を、警備装置１００本体の入出力制御部１２０に送出する。
【００２３】
操作表示部１１１は、例えばタッチ入力式の液晶画面であり、利用者に対して各種画面等を表示して、この各種画面から利用者による操作入力を受け付けるものである。具体的には、操作表示部１１１は、利用者により、監視領域における警備モードの設定として「警備状態」または「警備解除状態」の操作を受け付ける。また、操作表示部１１１は、利用者により警備装置１００の状態確認を要求する確認操作を受け付け、警備装置１００の状態を表示する。
【００２４】
遮断弁コントローラ１０２は、監視領域内に備えられており、操作部１０６を有し、その操作部１０６から遮断弁１０３によりガス栓を開放する旨の開放指示の操作、または遮断弁１０３によりガス栓を閉鎖する旨の閉鎖指示の操作を受け付けるものである。なお、遮断弁１０３は、ガス管１０５に備えられており、ガス栓を開放または閉鎖するものである。
【００２５】
また、遮断弁コントローラ１０２は、遮断弁１０３によるガス栓の開閉を制御するものであり、例えば、操作部１０６から開放指示の操作を受け付けた場合、遮断弁１０３によりガス栓を開放する制御を行い、操作部１０６から閉鎖指示の操作を受け付けた場合、遮断弁１０３によりガス栓を閉鎖する制御を行う。また、遮断弁コントローラ１０２は、ガス漏れを感知したり振動を感知するセンサ（不図示）を備えており、ガス漏れや地震の際には、遮断弁１０３によりガス栓を閉鎖する制御を行う。
【００２６】
また、遮断弁コントローラ１０２は、ガス流量計測装置１０４によりガス管１０５を通過するガスの流量の値を受信し、受信したガスの流量の値を警備装置１００本体に送出する。また、遮断弁コントローラ１０２は、遮断弁１０３によるガス栓の開閉に関する開閉情報、およびガス漏れや地震によるガス栓の閉鎖情報を警備装置１００本体に送出し、警備装置１００本体からは、遮断弁１０３によるガス栓の開閉命令を受信する。そして、遮断弁コントローラ１０２は、受信した開閉命令により遮断弁１０３の制御を行っている。
【００２７】
表示装置１７０は、各種情報を表示するものであり、例えばＬＣＤ（Liquid  Crystal  Display）などである。
【００２８】
スケジュール記憶部１８０は、警備モードが警備解除状態に設定されている監視領域においてガスの使用が許可された時間帯を示すスケジュール（許可時間情報）を記憶するＨＤＤ（Hard  Disk  Drive）やメモリ等の記憶媒体である。例えば、スケジュールは、「ガスコンロ：１０時〜２３時」「ガス湯沸かし器：１０時〜１時」「ガス空調設備：２４時間」など、ガス使用機器とガスの使用が許可されている時間帯とを対応付けており、これらのスケジュールがスケジュール記憶部１８０に記憶されている。
【００２９】
入出力制御部１２０は、コントローラ１１０および遮断弁コントローラ１０２の入出力制御、センサ１０１、監視領域の音声を取得するマイク（図示せず）の入力制御、送信された音声を出力するスピーカ（図示せず）の出力制御により種々のデータの入出力を制御する処理部である。
【００３０】
通信制御部１３０は、警備装置１００とネットワーク２００との間における通信を制御するものであり、具体的にはネットワークボードなどが該当する。
【００３１】
制御部１５０は、警備装置１００の全体制御を行うものであり、更に、警備モード切替部１５１と、警備モード記憶部１５２と、異常通報部１５３と、ガス栓開閉判断部１５４と、使用許可時間判断部１５５と、表示制御部１５６とを主に備えている。
【００３２】
警備モード記憶部１５２は、各種警備モード、および監視領域における現在の警備モードを記憶するメモリなどの記憶媒体である。すなわち、警備モード記憶部１５２には、現在の警備モードが記憶されていることになる。
【００３３】
警備モード切替部１５１は、コントローラ１１０から入出力制御部１２０を介して切替信号を受け取り、受取った切替信号（すなわち、切替操作により指定された警備モード）に従って、警備モード記憶部１５２に、切り替え後の警備モードを記憶させることにより、現在の監視領域における警備モードの設定を行うものである。
【００３４】
本実施の形態では、具体的には、警備モード切替部１５１は、退館者により操作表示部１１１から警備状態の操作を受け付けた場合であって、後述するガス栓開閉判断部１５４によりガス栓が閉鎖状態であると判断された場合（ガスが使用されていない状態であると判断された場合）は、警備モードを警備解除状態から警備状態に切替える。また、警備モード切替部１５１は、入館者により操作表示部１１１から警備解除状態の操作を受けた場合、警備モードを警備状態から警備解除状態に切替える。
【００３５】
異常通報部１５３は、監視領域の警備モードが警備状態に切替えられた状態（警備状態に設定された状態）において、センサ１０１によって監視領域への入館者が検知された場合、当該入館者が不正侵入者であると判断できるため、監視センタ３００へ異常を検知した旨の通報を行なうものである。また、異常通報部１５３は、監視領域の警備モードが警備状態に設定されている場合において、監視領域内でガスが使用されていると判断された場合、すなわち、後述するガス栓開閉判断部１５４によりガス栓が開放されていると判断された場合、監視センタ３００にガス栓が開放されている旨の通報を行う。なお、異常通報部１５３は、監視領域に異常が発生した場合だけでなく、通常の場合でも逐次監視領域の状態を監視センタ３００に通報する構成としてもよい。
【００３６】
ガス栓開閉判断部１５４は、監視領域からの退館者により操作表示部１１１から警備モードを警備状態に切り替える操作を受け付けた場合に、遮断弁１０３が開放状態か閉鎖状態かを判断することにより、監視領域におけるガス使用状態を判断するものである。また、ガス栓開閉判断部１５４は、監視領域の警備モードが警備状態に設定されている場合、警備モード切替部１５１により監視領域の警備モードが警備解除状態に切替えられた場合、および監視領域の警備モードが警備解除状態に設定されている場合にも同様に、監視領域におけるガス使用状態を判断する。
【００３７】
使用許可時間判断部１５５は、監視領域の警備モードが警備解除状態に設定されている場合に、スケジュール記憶部１８０に記憶されているスケジュールを参照して、現在の時刻がスケジュールにおいてガスの使用が許可された時間帯に含まれているか否かを判断するものである。すなわち、使用許可時間判断部１５５は、現在の時刻がスケジュールにおけるガスの使用が許可された時間帯に含まれている場合は、ガスの使用が許可されている時間である（ガス使用許可時間である）と判断し、現在の時刻がスケジュールにおけるガスの使用が許可された時間帯に含まれていない場合は、ガスの使用が許可されていない（ガス使用許可時間でない）と判断する。
【００３８】
表示制御部１５６は、監視領域からの退館者により操作表示部１１１から警備モードを警備状態に切り替える操作を受け付けた場合であって、監視領域のガスが使用されている状態であると判断された場合、すなわち、ガス栓開閉判断部１５４によりガス栓が開放状態であると判断された場合、警備モードを警備解除状態から警備状態に切替えることができない旨の切替情報を表示装置１７０に表示する制御を行う。切替情報とは、例えば、「警備状態にできません」、「ガス栓を確認してください」、「ガス栓を閉めてから警備状態にしてください」等の表示である。
【００３９】
また、表示制御部１５６は、警備モード切替部１５１により警備モードを警備解除状態に設定されている場合において、使用許可時間判断部１５５により現在の時刻がスケジュールにおけるガスの使用が許可された時間帯に含まれていないことによりガス使用許可時間でないと判断された場合であって、ガス栓開閉判断部１５４によりガス栓が開放状態であると判断された場合、遮断弁１０３によりガス栓を閉鎖することを促す旨のメッセージを表示装置１７０に表示する制御を行う。このメッセージとは、例えば、「ガス栓を閉鎖してください」等の表示である。
【００４０】
また、表示制御部１５６は、警備モード切替部１５１により警備モードが警備解除状態に切替えられた場合において、ガス栓開閉判断部１５４によりガス栓が閉鎖状態であると判断された場合、遮断弁１０３によりガス栓を開放することを促す旨のメッセージを表示装置１７０に表示する制御を行う。さらに、表示制御部１５６は、警備モードが警備解除状態に設定されている場合において、使用許可時間判断部１５５により現在の時刻がスケジュールにおけるガスの使用が許可された時間帯に含まれていることによりガス使用許可時間であると判断された場合であって、ガス栓開閉判断部１５４によりガス栓が閉鎖状態であると判断された場合、遮断弁１０３によりガス栓を開放することを促す旨のメッセージを表示装置１７０に表示する制御を行う。このメッセージとは、例えば、「ガス栓を開放しますか？」等の表示である。
【００４１】
次に、以上のように構成された警備装置１００における警備モードを警備状態へ切り替える警備状態切替処理について説明する。図３は、実施の形態１にかかる警備装置１００における警備状態切替処理の手順を示すフローチャートである。
【００４２】
まず、監視領域からの退館者により操作表示部１１１から警備モードを警備状態に切り替える操作を受け付けると（ステップＳ１０）、ガス栓開閉判断部１５４は、遮断弁１０３が開放状態か閉鎖状態かを判断することにより、ガス栓が閉鎖されているか否かを判断する（ステップＳ１１）。ガス栓が閉鎖されている場合（ステップＳ１１：Ｙｅｓ）、警備モード切替部１５１は、警備モードを警備解除状態から警備状態へ切替える（ステップＳ１２）。
【００４３】
一方、ガス栓が閉鎖されていない場合、すなわち、ガス栓が開放されている場合（ステップＳ１１：Ｎｏ）、表示制御部１５６は、警備モードを警備解除状態から警備状態に切替えることができない旨の切替情報、例えば「警備状態にできません」等の情報を表示装置１７０に表示する（ステップＳ１３）。
【００４４】
次に、警備装置１００における警備モードを警備状態へ切り替える他の警備状態切替処理について説明する。図４は、実施の形態１にかかる警備装置１００における他の警備状態切替処理の手順を示すフローチャートである。
【００４５】
まず、監視領域への退館者により操作表示部１１１から警備モードを警備状態に切り替える操作を受け付けると（ステップＳ２０）、ガス栓開閉判断部１５４は、遮断弁１０３が開放状態か閉鎖状態かを判断することにより、ガス栓が閉鎖されているか否かを判断する（ステップＳ２１）。ガス栓が閉鎖されている場合（ステップＳ２１：Ｙｅｓ）、警備モード切替部１５１は、警備モードを警備解除状態から警備状態へ切替える（ステップＳ２２）。
【００４６】
一方、ガス栓が閉鎖されていない場合、すなわち、ガス栓が開放されている場合（ステップＳ２１：Ｎｏ）、表示制御部１５６は、遮断弁１０３によりガス栓を閉鎖することを促す旨のメッセージ、例えば「ガス栓を閉鎖してください」等のメッセージを表示装置１７０に表示する（ステップＳ２３）。
【００４７】
次に、ガス栓開閉判断部１５４は、上記メッセージが表示された後に、予め定められた所定時間内に操作部１０６によってガス栓の閉鎖指示の操作を受け付けたか否かを判断する（ステップＳ２４）。所定時間内にガス栓の閉鎖指示の操作を受け付けなかった場合（ステップＳ２４：Ｎｏ）、表示制御部１５６は、警備モードを警備解除状態から警備状態に切替えることができない旨の切替情報、例えば「警備状態にできません」等の情報を表示装置１７０に表示する（ステップＳ２５）。
【００４８】
一方、所定時間内にガス栓の閉鎖指示の操作を受け付けた場合（ステップＳ２４：Ｙｅｓ）、遮断弁コントローラ１０２は、遮断弁１０３によりガス栓を閉鎖し（ステップＳ：２６）、再度ステップＳ２１の処理に戻る。
【００４９】
このように、警備モードを警備状態に切替える際にガス栓が開放されていた場合に、一旦ガス栓の閉鎖を促し、それでもガス栓が閉鎖されない場合に、警備モードを警備状態に切替えることができない旨の切替情報を表示してもよい。
【００５０】
次に、監視領域の現在の警備モードが警備状態の場合において、警備装置１００における通報処理について説明する。図５は、実施の形態１にかかる警備装置１００における通報処理の手順を示すフローチャートである。なお、この処理は、一定時間ごとに実行されている。
【００５１】
まず、ガス栓開閉判断部１５４は、監視領域の現在の警備モードが警備状態か否かを判断する（ステップＳ３０）。現在の警備モードが警備状態でない場合、すなわち警備解除状態の場合（ステップＳ３０：Ｎｏ）、処理を終了する。
【００５２】
一方、現在の警備モードが警備状態の場合（ステップＳ３０：Ｙｅｓ）、ガス栓開閉判断部１５４は、遮断弁１０３が開放状態か閉鎖状態かを判断することにより、ガス栓が開放されているか否かを判断する（ステップＳ３１）。ガス栓が開放されていない場合、すなわちガス栓が閉鎖されている場合（ステップＳ３１：Ｎｏ）、処理を終了する。
【００５３】
一方、ガス栓が開放されている場合（ステップＳ３１：Ｙｅｓ）、異常通報部１５３は、監視センタ３００にガス栓が開放されている旨の通報を行う（ステップＳ３２）。
【００５４】
次に、警備装置１００における警備モードを警備解除状態へ切り替える警備解除状態切替処理について説明する。図６は、実施の形態１にかかる警備装置１００における警備解除状態切替処理の手順を示すフローチャートである。
【００５５】
まず、監視領域への入館者により操作表示部１１１から警備モードを警備解除状態に切り替える操作を受け付けると（ステップＳ４０）、警備モード切替部１５１は、警備モードを警備状態から警備解除状態に切替える（ステップＳ４１）。
【００５６】
次に、ガス栓開閉判断部１５４は、遮断弁１０３が開放状態か閉鎖状態かを判断することにより、ガス栓が閉鎖されているか否かを判断する（ステップＳ４２）。ガス栓が閉鎖されていない場合、すなわちガス栓が開放されている場合（ステップＳ４２：Ｎｏ）、処理を終了する。
【００５７】
一方、ガス栓が閉鎖されている場合（ステップＳ４２：Ｙｅｓ）、表示制御部１５６は、遮断弁１０３によりガス栓を開放することを促す旨のメッセージ、例えば「ガス栓を開放しますか？」等のメッセージを表示装置１７０に表示する（ステップＳ４３）。
【００５８】
そして、ガス栓開閉判断部１５４は、上記メッセージが表示された後に、操作部１０６によってガス栓の開放指示の操作を受け付けたか否かを判断する（ステップＳ４４）。ガス栓の開放指示の操作を受け付けなかった場合（ステップＳ４４：Ｎｏ）、そのまま処理を終了する。
【００５９】
一方、ガス栓の開放指示の操作を受け付けた場合（ステップＳ４４：Ｙｅｓ）、警備装置１００本体からガス栓の開放命令を受け、遮断弁コントローラ１０２は、遮断弁１０３によりガス栓を開放する（ステップＳ４５）。
【００６０】
次に、監視領域の現在の警備モードが警備解除状態の場合において、警備装置１００におけるガス使用許可確認処理について説明する。図７は、実施の形態１にかかる警備装置１００におけるガス使用許可確認処理の手順を示すフローチャートである。なお、この処理は、一定時間ごとに実行される。
【００６１】
まず、使用許可時間判断部１５５は、監視領域の現在の警備モードが警備解除状態か否かを判断する（ステップＳ５０）。現在の警備モードが警備解除状態でない場合、すなわち警備状態の場合（ステップＳ５０：Ｎｏ）、処理を終了する。
【００６２】
一方、現在の警備モードが警備解除状態の場合（ステップＳ５０：Ｙｅｓ）、使用許可時間判断部１５５は、スケジュール記憶部１８０に記憶されているスケジュールを参照し（ステップＳ５１）、現在の時刻がスケジュールにおいてガスの使用が許可された時間帯に含まれているか否かを判断する（ステップＳ５２）。ガスの使用が許可された時間帯に含まれていない場合（ステップＳ５２：Ｎｏ）、ガス使用許可時間でないと判断し、ガス栓開閉判断部１５４は、遮断弁１０３が開放状態か閉鎖状態かを判断することにより、ガス栓が閉鎖されているか否かを判断する（ステップＳ５３）。ガス栓が閉鎖されている場合（ステップＳ５３：Ｙｅｓ）、処理を終了する。
【００６３】
一方、ガス栓が閉鎖されていない場合、すなわちガス栓が開放されている場合（ステップＳ５３：Ｎｏ）、表示制御部１５６は、遮断弁１０３によりガス栓を閉鎖することを促す旨のメッセージ、例えば「ガス栓を閉鎖してください」等のメッセージを表示装置１７０に表示し（ステップＳ５４）、処理を終了する。
【００６４】
ステップＳ５２に戻って、ガスの使用が許可された時間帯に含まれている場合（ステップＳ５２：Ｙｅｓ）、ガス使用許可時間であると判断し、ガス栓開閉判断部１５４は、遮断弁１０３が開放状態か閉鎖状態かを判断することにより、ガス栓が閉鎖されているか否かを判断する（ステップＳ５５）。ガス栓が閉鎖されていない場合、すなわちガス栓が開放されている場合（ステップＳ５５：Ｎｏ）、処理を終了する。
【００６５】
一方、ガス栓が閉鎖されている場合（ステップＳ５５：Ｙｅｓ）、表示制御部１５６は、操作表示部１１１から警備装置１００の状態確認を要求する確認操作を受け付けたか否かを判断する（ステップＳ５６）。確認操作を受け付けなかった場合（ステップＳ５６：Ｎｏ）、処理を終了する。
【００６６】
一方、確認操作を受け付けた場合（ステップＳ５６：Ｙｅｓ）、表示制御部１５６は、遮断弁１０３によりガス栓を開放することを促す旨のメッセージ、例えば「ガス栓を開放しますか？」等のメッセージを表示装置１７０に表示する（ステップＳ５７）。
【００６７】
そして、ガス栓開閉判断部１５４は、上記メッセージが表示された後に、操作部１０６によってガス栓の開放指示の操作を受け付けたか否かを判断する（ステップＳ５８）。ガス栓の開放指示の操作を受け付けなかった場合（ステップＳ５８：Ｎｏ）、そのまま処理を終了する。
【００６８】
一方、ガス栓の開放指示の操作を受け付けた場合（ステップＳ５８：Ｙｅｓ）、警備装置１００本体からガス栓の開放命令を受け、遮断弁コントローラ１０２は、遮断弁１０３によりガス栓を開放する（ステップＳ５９）。
【００６９】
なお、ステップＳ５４では、ガス栓が開放されていた場合、メッセージを表示して処理を終了しているが、ガス栓が開放されていた場合、警備装置１００本体から遮断弁コントローラ１０２にガス栓の閉鎖命令を送出し、遮断弁コントローラ１０２がガス栓を閉鎖する構成としてもよい。また、メッセージの表示や閉鎖命令の送出と同時に、警備装置１００における異常通報部１５３によりその旨を監視センタ３００に通報する構成としてもよい。
【００７０】
次に、ガス使用機器と警備モードの状態との関係について説明する。図８は、ガス使用機器と警備装置１００における警備モードの状態とが連動していない場合の説明図である。図８に示すように、監視領域においてガスを利用するものとして、「ガスコンロ」「ガス湯沸かし器」「ガス空調設備」があるとする。また、警備モードおよび時間軸を横軸としている。
【００７１】
ここで、複数のガス使用機器のそれぞれにガス栓が備えられている場合について説明する。図８に示すように、スケジュール記憶部１８０には、例えば、「ガスコンロ：１０時〜２３時」「ガス湯沸かし器：１０時〜１時」「ガス空調設備：２４時間」等のスケジュールが記憶されている。このように、それぞれのガス使用機器にガス栓が備えられている場合には、複数のガス使用機器のそれぞれにガスの使用の許可が与えられる。
【００７２】
そして、スケジュールにおけるガスの使用が許可された時間帯以外の時間にガス栓が開放されているガス使用機器があった場合は、スピーカから音声や光などの警報を発したり、異常通報部１５３により監視センタ３００に通報したり、遮断弁コントローラ１０２によりガス栓を閉鎖する等の対処がなされる。このように、ガス使用機器ごとにガス栓が備えられている場合は、それぞれの機器のガスの使用を管理しやすい。
【００７３】
一方、全ての機器に対して一つのガス栓が備えられている場合は、図８に示すように、それぞれにガス使用が許可できる時間帯が設定されていても、ガス使用機器ごとにガスの使用を管理することはできない。従って、この場合は、警備モード（警備状態または警備解除状態）に連動させてガス栓の開閉を一元管理することになる。
【００７４】
図９は、複数のガス栓を備えたガス使用機器と警備装置１００における警備モードの状態との連動の関係を示す説明図である。図９では、図８と同様に、監視領域においてガスを利用するものとして、「ガスコンロ」「ガス湯沸かし器」「ガス空調設備」があり、「ガスコンロ」「ガス湯沸かし器」は警備モードの状態に連動しているが、「ガス空調設備」は警備モードの状態に連動していない。
【００７５】
また、図９では、図８と同様に、「ガスコンロ：１０時〜２３時」「ガス湯沸かし器：１０時〜１時」「ガス空調設備：２４時間」で示す時間帯にガスの使用が許可されており、２２時に警備モードを警備状態に切替えられた場合を示している。「ガスコンロ」および「ガス湯沸かし器」は、警備モードの状態と連動しているため、２２時以降は使用できない。また、「ガス空調設備」は、警備モードの状態と連動していないため、警備状態に切替えられても使用できる。なお、「ガス空調設備」が警備モードの状態と連動していないのは、営業時間外(無人状態)に利用されることを想定している。
【００７６】
本実施の形態では、警備モードを警備状態に切り替える操作を受け付けた場合、警備モードの状態に連動されているガス使用機器のガス栓が開放されている場合には、警備状態に切替えることができないものである。これにより、ガス栓を開放したまま監視領域から退館することを防止できる。
【００７７】
また、「ガスコンロ」「ガス湯沸かし器」「ガス空調設備」のそれぞれにガス栓が備えられた場合は、警備モードを警備状態に切り替える操作を受け付けた場合に、警備モードの状態に連動している「ガスコンロ」と「ガス湯沸かし器」のガス栓を閉鎖する構成にしてもよい。なお、図９では、警備モードの状態と連動しているガス使用機器と、連動していないガス使用機器があるため、警備モードの状態に連動してガス栓を閉鎖する場合は、警備モードの状態に連動するガス栓と、連動しないガス栓の少なくとも２つのガス栓が必要となる。
【００７８】
図１０は、一つのガス栓を備えたガス使用機器と警備装置１００における警備モードの状態との連動の関係を示す説明図である。図１０では、図８と同様に、監視領域においてガスを利用するものとして、「ガスコンロ」「ガス湯沸かし器」「ガス空調設備」がある。
【００７９】
図１０に示すように、一つのガス栓で複数のガス使用機器のガス管理をしている場合、警備モードの状態に連動させてガス栓を開閉する必要がある。従って、２２時に警備モードを警備状態に切り替える操作を受け付けた場合、２２時以降では全てのガス使用機器は使用できない。
【００８０】
このように、実施の形態１にかかる警備装置１００は、監視領域に対する警備状態の操作を受け付けた場合に、ガス栓が閉鎖されていれば、警備モードを警備解除状態から警備状態に切替え、ガス栓が開放されていれば、警備状態に切り替えられない旨等のメッセージを表示する。従って、別個にセンサ等を設けることなく簡易な構成で、ガスが使用されている状態、すなわちガス栓が開放されている状態において警備モードを警備状態に切り替えてしまうことを防止して、監視領域の火災等の災害を軽減することができる。
【００８１】
また、実施の形態１にかかる警備装置１００は、監視領域の警備モードが警備状態の場合において、ガス栓が開放されていた場合は、監視センタ３００にその旨の通報を行う。従って、警備モードの状態とガス栓の開閉とを連動させることで、警備状態でのガス栓の開放による異常を通報し、監視領域の火災等の災害を軽減することができる。
【００８２】
また、実施の形態１にかかる警備装置１００は、監視領域の警備モードを警備解除状態に切り替えた際に、ガス栓が閉鎖されていた場合、ガス栓の開放を促すメッセージを表示してガス栓を開放する。従って、ガス栓が閉鎖されていたことを確認したうえで、ガス栓を開放することができ、監視領域の火災等の災害を軽減することができる。
【００８３】
また、実施の形態１にかかる警備装置１００は、監視領域の警備モードが警備解除状態の場合において、ガスの使用が許可された時間帯を定めたスケジュールに基づいて、ガスの使用許可時間でない場合にガスが開放されていた場合は、ガス栓の閉鎖を促すメッセージを表示する。また、ガスの使用許可時間である場合にガスが閉鎖されていた場合は、ガス栓の開放を促すメッセージを表示してガス栓を開放する。このように、警備解除状態であってもガスの使用許可時間か否かを判断して、その結果によりガス栓の開閉を行うため、警備解除状態でもガスの開閉状態を管理でき、監視領域の火災等の災害をより軽減することができる。
【００８４】
なお、本実施の形態では、遮断弁コントローラ１０２によりガス栓の開閉操作を制御していたが、警備装置１００本体により制御してもよい。その場合、警備装置１００本体は、遮断弁コントローラ１０２に対して、ガス栓を開放した旨の開放信号、およびガス栓を閉鎖した旨の閉鎖信号を送出する。
【００８５】
（実施の形態２）
実施の形態１における警備装置では、遮断弁によりガス栓が開放状態か閉鎖状態かを判断することにより、ガス使用状態を判断するものであった。これに対し、本実施の形態にかかる警備装置では、ガス管にガスが流れているか否かを判断することにより、ガス使用状態を判断するものである。
【００８６】
図１１は、実施の形態２にかかる警備装置を含む警備システムを示す図である。図１１に示すように、警備装置４００は、センサ１０１およびガス流量計測装置４０４が接続され、ネットワーク２００を介して監視センタ３００を接続されている。ここで、ネットワーク２００と、監視センタ３００と、センサ１０１の構成および機能は、実施の形態１と同様であるため説明を省略する。
【００８７】
ガス流量計測装置４０４は、ガス管１０５を通過するガスの流量を計測する装置であり、計測したガス流量の値を警備装置４００本体に送出する。
【００８８】
次に、警備装置４００の詳細について説明する。図１２は、実施の形態２にかかる警備装置４００の構成を示すブロック図である。図１２に示すように、警備装置４００は、実施の形態１と同様に、監視領域の警備モードが警備状態であるときに、監視領域に入館した不正な入館者（侵入者）などの異常を検知した場合、監視センタ３００に異常通報を行ったり、監視領域内に警報を出力する。
【００８９】
図１２に示すように、警備装置４００は、コントローラ１１０と、表示装置１７０と、スケジュール記憶部１８０と、入出力制御部１２０と、通信制御部１３０と、制御部４５０とを主に備えている。ここで、スケジュール記憶部１８０と、入出力制御部１２０と、通信制御部１３０と、制御部４５０とは、警備装置１００本体に備えられている。また、コントローラ１１０と、表示装置１７０と、スケジュール記憶部１８０と、入出力制御部１２０と、通信制御部１３０の構成および機能は、実施の形態１と同様であるため説明を省略する。なお、本実施の形態では、遮断弁コントローラを備えていないため、入出力制御部１２０は、実施の形態１における遮断弁コントローラの入出力制御は行っていない。
【００９０】
制御部４５０は、警備装置４００の全体制御を行うものであり、更に、警備モード切替部４５１と、警備モード記憶部１５２と、異常通報部４５３と、ガス使用判断部４５４と、使用許可時間判断部１５５と、表示制御部４５６とを主に備えている。ここで、警備モード記憶部１５２と、使用許可時間判断部１５５の構成および機能は、実施の形態１と同様であるため説明を省略する。
【００９１】
警備モード切替部４５１は、コントローラ１１０から入出力制御部１２０を介して切替信号を受け取り、受取った切替信号（すなわち、切替操作により指定された警備モード）に従って、警備モード記憶部１５２に、切り替え後の警備モードを記憶させることにより、現在の監視領域における警備モードの切替えを行うものである。
【００９２】
本実施の形態では、具体的には、警備モード切替部４５１は、退館者により操作表示部１１１から警備状態の操作を受け付けた場合であって、後述するガス使用判断部４５４によりガス管１０５にガスが流れていないと判断された場合（ガスが使用されていない状態であると判断された場合）は、警備モードを警備解除状態から警備状態に切替える。また、警備モード切替部４５１は、入館者により操作表示部１１１から警備解除状態の操作を受けた場合、警備モードを警備状態から警備解除状態に切替える。
【００９３】
異常通報部４５３は、監視領域の警備モードが警備状態に設定されている場合において、センサ１０１によって監視領域への入館者が検知された場合、当該入館者が不正侵入者であると判断できるため、監視センタ３００へ異常を検知した旨の通報を行なうものである。また、異常通報部４５３は、監視領域の警備モードが警備状態に設定されている場合において、後述するガス使用判断部４５４により監視領域においてガスが流れていると判断された場合、監視センタ３００にガスが使用されている旨の通報を行う。
【００９４】
ガス使用判断部４５４は、監視領域からの退館者により操作表示部１１１から警備モードを警備状態に切り替える操作を受け付けた場合に、ガス流量計測装置４０４により計測されたガスの流量により、ガス管１０５にガスが流れているか否かを判断することにより、監視領域におけるガス使用状態を判断するものである。また、ガス使用判断部４５４は、監視領域の警備モードが警備状態に設定されている場合、および監視領域の警備モードが警備解除状態に設定されている場合にも同様に、監視領域におけるガス使用状態を判断する。
【００９５】
表示制御部４５６は、監視領域からの退館者により操作表示部１１１から警備モードを警備状態に切り替える操作を受け付けた場合であって、監視領域のガスが使用されている状態であると判断された場合、すなわち、ガス使用判断部４５４によりガス管１０５にガスが流れていると判断された場合、警備モードを警備解除状態から警備状態に切替えることができない旨の切替情報を表示装置１７０に表示する制御を行う。切替情報の詳細は、実施の形態１と同様である。
【００９６】
また、表示制御部４５６は、警備モード切替部４５１により警備モードを警備解除状態に設定されている場合において、使用許可時間判断部１５５により現在の時刻がスケジュールにおけるガスの許可が時間された時間帯に含まれていないことによりガス使用許可時間でないと判断された場合であって、ガス使用判断部４５４によりガス管１０５にガスが流れていると判断された場合、ガスが使用されている旨のメッセージを表示装置１７０に表示する制御を行う。このメッセージとは、例えば、「ガスが使用されています」等の表示である。
【００９７】
次に、以上のように構成された警備装置４００における警備モードを警備状態へ切り替える警備状態切替処理について説明する。図１３は、実施の形態２にかかる警備装置４００における警備状態切替処理の手順を示すフローチャートである。
【００９８】
まず、監視領域からの退館者により操作表示部１１１から警備モードを警備状態に切り替える操作を受け付けると（ステップＳ７０）、ガス使用判断部４５４は、ガス流量計測装置４０４により計測されたガスの流量により、ガス管１０５にガスが流れていないか否かを判断する（ステップＳ７１）。ガスが流れていない場合（ステップＳ７１：Ｙｅｓ）、警備モード切替部４５１は、警備モードを警備解除状態から警備状態へ切替える（ステップＳ７２）。
【００９９】
一方、ガスが流れている場合（ステップＳ７１：Ｎｏ）、表示制御部４５６は、警備モードを警備解除状態から警備状態に切替えることができない旨の切替情報、例えば「警備状態にできません」等の情報を表示装置１７０に表示する（ステップＳ７３）。
【０１００】
次に、監視領域の現在の警備モードが警備状態の場合において、警備装置４００における通報処理について説明する。図１４は、実施の形態２にかかる警備装置４００における通報処理の手順を示すフローチャートである。なお、この処理は、一定時間ごとに実行される。
【０１０１】
まず、ガス使用判断部４５４は、監視領域の現在の警備モードが警備状態か否かを判断する（ステップＳ８０）。現在の警備モードが警備状態でない場合、すなわち警備解除状態の場合（ステップＳ８０：Ｎｏ）、処理を終了する。
【０１０２】
一方、現在の警備モードが警備状態の場合（ステップＳ８０：Ｙｅｓ）、ガス使用判断部４５４は、ガス流量計測装置４０４により計測されたガスの流量により、ガス管１０５にガスが流れているか否かを判断する（ステップＳ８１）。ガスが流れていない場合（ステップＳ８１：Ｎｏ）、処理を終了する。
【０１０３】
一方、ガスが流れている場合（ステップＳ８１：Ｙｅｓ）、異常通報部４５３は、監視センタ３００にガスが使用されている旨の通報を行う（ステップＳ８２）。
【０１０４】
次に、監視領域の現在の警備モードが警備解除状態の場合において、警備装置４００におけるガス使用許可確認処理について説明する。図１５は、実施の形態２にかかる警備装置４００におけるガス使用許可確認処理の手順を示すフローチャートである。なお、この処理は、一定時間ごとに実行される。
【０１０５】
まず、使用許可時間判断部１５５は、監視領域の現在の警備モードが警備解除状態か否かを判断する（ステップＳ９０）。現在の警備モードが警備解除状態でない場合、すなわち警備状態の場合（ステップＳ９０：Ｎｏ）、処理を終了する。
【０１０６】
一方、現在の警備モードが警備解除状態の場合（ステップＳ９０：Ｙｅｓ）、使用許可時間判断部１５５は、スケジュール記憶部１８０に記憶されているスケジュールを参照し（ステップＳ９１）、現在の時刻がスケジュールにおいてガスの使用が許可された時間帯に含まれているか否かを判断する（ステップＳ９２）。ガスの使用が許可された時間帯に含まれている場合（ステップＳ９２：Ｙｅｓ）、処理を終了する。
【０１０７】
一方、ガスの使用が許可された時間帯に含まれていない場合（ステップＳ９２：Ｎｏ）、ガス使用判断部４５４は、ガス流量計測装置４０４により計測されたガスの流量により、ガス管１０５にガスが流れていないか否かを判断する（ステップＳ９３）。ガスが流れていない場合（ステップＳ９３：Ｙｅｓ）、処理を終了する。
【０１０８】
一方、ガスが流れている場合（ステップＳ９３：Ｎｏ）、表示制御部４５６は、ガスが使用されている旨のメッセージ、例えば「ガスが使用されています」等のメッセージを表示装置１７０に表示する（ステップＳ９４）。
【０１０９】
このように、実施の形態２にかかる警備装置４００は、監視領域に対する警備状態の操作を受け付けた場合に、ガス管１０５にガスが流れていない場合、警備モードを警備解除状態から警備状態に切替え、ガス管１０５にガスが流れている場合、警備状態に切り替えられない旨のメッセージを表示する。従って、別個にセンサ等を設けることなく簡易な構成で、ガスが使用されている状態、すなわちガス管１０５にガスが流れている状態において警備モードを警備状態に切り替えてしまうことを防止して、監視領域の火災等の災害を軽減することができる。
【０１１０】
また、実施の形態２にかかる警備装置４００は、監視領域の警備モードが警備状態の場合において、ガス管１０５にガスが流れていた場合は、監視センタ３００にその旨の通報を行う。従って、警備モードの状態とガスの流れとを連動させることで、警備状態でガス管１０５にガスが流れていることによる異常を通報し、監視領域の火災等の災害を軽減することができる。
【０１１１】
また、実施の形態２にかかる警備装置４００は、監視領域の警備モードが警備解除状態の場合において、ガスの使用が許可された時間帯を定めたスケジュールに基づいて、ガスの使用許可時間でない場合にガスが流れていた場合は、ガスが使用されている旨を示すメッセージを表示する。このように、警備解除状態であってもガスの使用許可時間か否かを判断して、その結果によりメッセージの表示行うため、警備解除状態でもガスの使用状態を把握でき、監視領域の火災等の災害をより軽減することができる。
【０１１２】
（実施の形態３）
実施の形態１における警備装置では、遮断弁によりガス栓が開放状態か閉鎖状態かを判断することにより、ガス使用状態を判断するものであった。これに対し、本実施の形態にかかる警備装置では、ガス管に流れているガスの流量が予め定められた閾値以上か否かを判断することにより、ガス使用状態を判断するものである。
【０１１３】
実施の形態３にかかる警備装置を含む警備システムは、実施の形態２と同様であるため説明を省略する。
【０１１４】
次に、警備装置５００の詳細について説明する。図１６は、実施の形態３にかかる警備装置５００の構成を示すブロック図である。図１６に示すように、警備装置５００は、実施の形態１と同様に、監視領域の警備モードが警備状態であるときに、監視領域に入館した不正な入館者（侵入者）などの異常を検知した場合、監視センタ３００に異常通報を行ったり、監視領域内に警報を出力する。
【０１１５】
図１６に示すように、警備装置５００は、コントローラ１１０と、表示装置１７０と、スケジュール記憶部１８０と、入出力制御部１２０と、通信制御部１３０と、制御部５５０とを主に備えている。ここで、スケジュール記憶部１８０と、入出力制御部１２０と、通信制御部１３０と、制御部５５０とは、警備装置１００本体に備えられている。また、コントローラ１１０と、表示装置１７０と、スケジュール記憶部１８０と、入出力制御部１２０と、通信制御部１３０の構成および機能は、実施の形態１と同様であるため説明を省略する。なお、本実施の形態では、遮断弁コントローラを備えていないため、入出力制御部１２０は、実施の形態１における遮断弁コントローラの入出力制御は行っていない。
【０１１６】
制御部５５０は、警備装置５００の全体制御を行うものであり、更に、警備モード切替部５５１と、警備モード記憶部１５２と、異常通報部５５３と、ガス使用判断部５５４と、使用許可時間判断部１５５と、表示制御部５５６とを主に備えている。ここで、警備モード記憶部１５２と、使用許可時間判断部１５５の構成および機能は、実施の形態１と同様であるため説明を省略する。
【０１１７】
警備モード切替部５５１は、コントローラ１１０から入出力制御部１２０を介して切替信号を受け取り、受取った切替信号（すなわち、切替操作により指定された警備モード）に従って、警備モード記憶部１５２に、切り替え後の警備モードを記憶させることにより、現在の監視領域における警備モードの切替えを行うものである。
【０１１８】
本実施の形態では、具体的には、警備モード切替部５５１は、退館者により操作表示部１１１から警備状態の操作を受け付けた場合であって、後述するガス使用判断部５５４によりガス管１０５のガスの流量が予め定められた閾値以下であると判断された場合（ガスが使用されていない状態であると判断された場合）は、警備モードを警備解除状態から警備状態に切替える。また、警備モード切替部５５１は、入館者により操作表示部１１１から警備解除状態の操作を受けた場合、警備モードを警備状態から警備解除状態に切替える。
【０１１９】
異常通報部５５３は、監視領域の警備モードが警備状態に設定されている場合において、センサ１０１によって監視領域への入館者が検知された場合、当該入館者が不正侵入者であると判断できるため、監視センタ３００へ異常を検知した旨の通報を行なうものである。また、異常通報部５５３は、監視領域の警備モードが警備状態に設定されている場合において、後述するガス使用判断部５５４によりガス管１０５のガスの流量が予め定められた閾値以上であると判断された場合、監視センタ３００にガスが使用されている旨の通報を行う。
【０１２０】
ガス使用判断部５５４は、監視領域からの退館者により操作表示部１１１から警備モードを警備状態に切り替える操作を受け付けた場合に、ガス流量計測装置４０４により計測されたガスの流量が予め定められた閾値以上か否かを判断することにより、監視領域におけるガス使用状態を判断するものである。また、ガス使用判断部５５４は、監視領域の警備モードが警備状態に設定されている場合、および監視領域の警備モードが警備解除状態に設定されている場合にも同様に、監視領域におけるガス使用状態を判断する。
【０１２１】
表示制御部５５６は、監視領域からの退館者により操作表示部１１１から警備モードを警備状態に切り替える操作を受け付けた場合であって、監視領域のガスが使用されている状態であると判断された場合、すなわち、ガス使用判断部５５４によりガス管１０５のガスの流量が予め定められた閾値以上であると判断された場合、警備モードを警備解除状態から警備状態に切替えることができない旨の切替情報を表示装置１７０に表示する制御を行う。切替情報の詳細は、実施の形態１と同様である。
【０１２２】
また、表示制御部５５６は、警備モード切替部５５１により警備モードを警備解除状態に設定されている場合において、使用許可時間判断部１５５により現在の時刻がスケジュールにおけるガスの使用が許可された時間帯に含まれていないことによりガス使用許可時間でないと判断された場合であって、ガス使用判断部５５４によりガス管１０５のガスの流量が予め定められた閾値以上であると判断された場合、ガスが使用されている旨のメッセージを表示装置１７０に表示する制御を行う。このメッセージとは、例えば、「ガスが使用されています」等の表示である。
【０１２３】
次に、ガス使用判断部５５４によりガスが流れているか否かを判断する際の、ガス管１０５のガスの流量の閾値について説明する。図１７は、監視領域における一日のガスの使用状況を示す説明図である。なお、図１７では、監視領域を飲食店として例を示している。図１７に示すように、監視領域においてガスを利用するものとして、「ガスコンロ」「ガス湯沸かし器」「発電（ガス型燃料電池）」があるとする。また、警備モードおよび時間軸を横軸としている。
【０１２４】
ガス使用判断部５５４によりガスが使用されているか否かを判断する際の、ガス管１０５のガスの流量の閾値は、時間帯によって異なる。図１７では、それぞれの時間帯にガスの最大使用量と最小使用量を定めて、「値」として表している。
【０１２５】
図１７では、「ガスコンロ」や「ガス湯沸かし器」の火を確実に消火し、所定のガス栓を必ず閉めてから監視領域から退館することを目的とし、「発電（ガス型燃料電池）」は、２４時間発電し続けることよりガス栓を閉めることができない場合を想定している。また、図１７では、「ガスコンロ」は１０時〜２３時まで、「ガス湯沸かし器」は１０時〜１時まで、「発電（ガス型燃料電池）」は２４時間ガスの使用が許可されている。
【０１２６】
また、図１７では、２３時〜１０時の間は、監視領域である飲食店の営業は行われていないものとする。従って、「ガスコンロ」「ガス湯沸かし器」は使用されないが、冷蔵庫などに利用される「発電（ガス型燃料電池）」は２４時間使用されるため、比較的少量ではあるが常時ガスが使用されることとなる。そこで、夜間（２３時〜１０時）に常時使用されるガスの量を閾値Ａとして設定し、閾値Ａを越えた場合に、ガスに起因した何らかの異常が発生したと判断する方法が考えられる。
【０１２７】
この閾値Ａの決定方法は、スケジュール記憶部１８０に記憶されているスケジュールを参照し、２３時〜１０時までの間に使用が許可されているガス使用機器のガスの流量を合算して求める。ここでは、「発電（ガス型燃料電池）」のガス使用量の最小値に基づいて閾値Ａの値を２と設定しているが、必ずしも最小値である必要はない。
【０１２８】
また、１１時〜２３時の間は、監視領域である飲食店などの営業時間である。従って、「ガスコンロ」「ガス湯沸かし器」「発電（ガス型燃料電池）」などのガス使用量が多い時間帯であり、閾値を設けないか（閾値Ｂ（値：なし）参照）、もしくは最大値とする。なお、１１時〜２３時までは、基本的にガスの流量を監視しなくてもよい時間帯である。
【０１２９】
また、２３時〜１時の間は、監視領域である飲食店などの営業時間外であるが、ガスを使用した作業が必要な時間帯である。この例では、営業時間外であるため「ガスコンロ」の使用は禁止したいが、「ガス湯沸かし器」や「発電（ガス型燃料電池）」を使用する必要がある場合を想定している。そこで、「ガス湯沸かし器」と「発電（ガス型燃料電池）」のガス使用量の最大値に基づいて閾値Ｃ（値：３５）を設定したが、必ずしも最大値である必要はない。これにより、「ガスコンロ」を使用した場合などは、ガスの使用量が閾値Ｃを超えるため、スケジュールやガスに起因する異常を検知することができる。
【０１３０】
そして、ガス管１０５のガスの流量がこのように設定された閾値以上となった場合は異常と判断し、スピーカから音声や光などの警報を発したり、異常通報部５５３により監視センタ３００に通報したり、ガス栓を閉鎖する等の対処がなされる。
【０１３１】
次に、以上のように構成された警備装置５００における警備モードを警備状態へ切り替える警備状態切替処理について説明する。図１８は、実施の形態３にかかる警備装置５００における警備状態切替処理の手順を示すフローチャートである。
【０１３２】
まず、監視領域からの退館者により操作表示部１１１から警備モードを警備状態に切り替える操作を受け付けると（ステップＳ１００）、ガス使用判断部５５４は、ガス流量計測装置４０４により計測されたガスの流量が予め定められた閾値以下か否かを判断する（ステップＳ１０１）。ガスの流量が閾値以下である場合（ステップＳ１０１：Ｙｅｓ）、警備モード切替部５５１は、警備モードを警備解除状態から警備状態へ切替える（ステップＳ１０２）。
【０１３３】
一方、ガスの流量が閾値以下でない場合、すなわち閾値以上である場合（ステップＳ１０１：Ｎｏ）、表示制御部５５６は、警備モードを警備解除状態から警備状態に切替えることができない旨の切替情報、例えば「警備状態にできません」等の情報を表示装置１７０に表示する（ステップＳ１０３）。
【０１３４】
ここで、警備状態への切り替え操作とガスの使用が許可される時間帯を定めたスケジュールとの関係について説明する。図１９は、ガスの使用が許可される時間帯を定めたスケジュールと警備装置５００による警備状態への切り替え操作との連動の関係を示す説明図である。
【０１３５】
図１９では、図１７と同様に、ガスの使用が許可される時間帯を定めたスケジュールによると、「ガスコンロ」は１０時〜２３時まで、「ガス湯沸かし器」は１０時〜１時まで、「発電（ガス型燃料電池）」は２４時間、ガスの使用許可が与えられている。そして、「ガスコンロ」と「ガス湯沸かし器」は警備モードの状態に連動しており、「発電（ガス型燃料電池）」は２４時間使用されるため、警備モードの状態に連動していない。従って、警備状態に設定された場合には、「ガスコンロ」と「ガス湯沸かし器」は使用できないことになる。
【０１３６】
しかし、１３時に警備解除状態に切替えられると、１３時からガスが使用できるため、「ガスコンロ」と「ガス湯沸かし器」は、スケジュールによる１０時からではなく、１３時から使用できる。また、２２時に警備状態に切替えられる場合、２２時からガスの使用ができなくなるため、「ガスコンロ」と「ガス湯沸かし器」は、２３時や１時ではなく、２２時から使用できなくなる。
【０１３７】
本実施の形態の警備装置５００では、警備モードを警備状態に切り替える操作を受け付けた場合に、ガスの流量が予め定められた閾値Ｃ以上であった場合には、警備状態に切り替えることができないとしている。
【０１３８】
ここで、図１９における閾値Ｃの決定方法の一例について説明する。「ガスコンロ」「ガス湯沸かし器」は、警備モードの状態に連動しているので、「ガスコンロ」「ガス湯沸かし器」を使用している状態では警備状態に切り替えることができないようにしたい。そこで、予め警備モードの状態と連動しているガス使用機器のガス流量の値を０として、それぞれのガス使用機器の値を合算し、閾値Ｃを求める。図１９の場合、「ガスコンロ」は警備モードの状態と連動しているので値は０、同じく「ガス湯沸かし器」も警備モードの状態と連動しているので値は０、そして「発電（ガス型燃料電池）」は２４時間使用する必要があり、警備モードの状態に連動していないため、ガス使用量の最低値を目安として値を２としている。従って、０＋０＋２＝２となり、閾値Ｃの値を２と決定している。
【０１３９】
従って、２２時には「ガスコンロ」と「ガス湯沸かし器」はガスの使用が許可されている時間帯であるが、２２時に警備状態に切替える場合には、「ガスコンロ」と「ガス湯沸かし器」の使用を停止して、ガスの流量を閾値Ｃ（値：２）以下にする。これにより、ガス栓を開放したまま監視用域の警備モードを警備状態に切り替え、監視領域から利用者が退館することを防止できる。
【０１４０】
また、「ガスコンロ」「ガス湯沸かし器」「発電（ガス型燃料電池）」のそれぞれにガス栓が備えられた場合は、警備モードの状態に連動している「ガスコンロ」と「ガス湯沸かし器」のガス栓を閉鎖する構成としてよい。なお、図１９では、警備モードの状態と連動しているガス使用機器と、連動していないガス使用機器があるため、警備モードの状態に連動してガス栓を閉鎖する場合は、警備モードの状態に連動するガス栓と、連動しないガス栓の少なくとも２つのガス栓が必要となる。
【０１４１】
次に、監視領域の現在の警備モードが警備状態の場合において、警備装置５００における通報処理について説明する。図２０は、実施の形態３にかかる警備装置５００における通報処理の手順を示すフローチャートである。なお、この処理は、一定時間ごとに実行される。
【０１４２】
まず、ガス使用判断部５５４は、監視領域の現在の警備モードが警備状態か否かを判断する（ステップＳ１１０）。現在の警備モードが警備状態でない場合、すなわち警備解除状態の場合（ステップＳ１１０：Ｎｏ）、処理を終了する。
【０１４３】
一方、現在の警備モードが警備状態の場合（ステップＳ１１０：Ｙｅｓ）、ガス使用判断部５５４は、ガス流量計測装置４０４により計測されたガスの流量が予め定められた閾値以上か否かを判断する（ステップＳ１１１）。ガスの流量が閾値以上でない場合、すなわち閾値以下である場合（ステップＳ１１１：Ｎｏ）、処理を終了する。
【０１４４】
一方、ガスの流量が閾値以上である場合（ステップＳ１１１：Ｙｅｓ）、異常通報部
５５３は、監視センタ３００にガスが使用されている旨の通報を行う（ステップＳ１１２）。
【０１４５】
次に、監視領域の現在の警備モードが警備解除状態の場合において、警備装置５００におけるガス使用許可確認処理について説明する。図２１は、実施の形態３にかかる警備装置５００におけるガス使用許可確認処理の手順を示すフローチャートである。なお、この処理は、一定時間ごとに実行される。
【０１４６】
まず、使用許可時間判断部１５５は、監視領域の現在の警備モードが警備解除状態か否かを判断する（ステップＳ１２０）。現在の警備モードが警備解除状態でない場合、すなわち警備状態の場合（ステップＳ１２０：Ｎｏ）、処理を終了する。
【０１４７】
一方、現在の警備モードが警備解除状態の場合（ステップＳ１２０：Ｙｅｓ）、使用許可時間判断部１５５は、スケジュール記憶部１８０に記憶されているスケジュールを参照し（ステップＳ１２１）、現在の時刻がスケジュールにおいてガスの使用が許可された時間帯に含まれているか否かを判断する（ステップＳ１２２）。ガスの使用が許可された時間帯に含まれている場合（ステップＳ１２２：Ｙｅｓ）、処理を終了する。
【０１４８】
一方、ガスの使用が許可された時間帯に含まれていない場合（ステップＳ１２２：Ｎｏ）、ガス使用判断部５５４は、ガス流量計測装置４０４により計測されたガスの流量が予め定められた閾値以下か否かを判断する（ステップＳ１２３）。ガスの流量が閾値以下である場合（ステップＳ１２３：Ｙｅｓ）、処理を終了する。
【０１４９】
一方、ガスの流量が閾値以下でない場合、すなわち閾値以上である場合（ステップＳ１２３：Ｎｏ）、表示制御部５５６は、ガスが使用されている旨のメッセージ、例えば「ガスが使用されています」等のメッセージを表示装置１７０に表示する（ステップＳ１２４）。
【０１５０】
このように、実施の形態３にかかる警備装置５００は、監視領域に対する警備状態の操作を受け付けた場合に、ガスの流量が閾値以下である場合、警備モードを警備解除状態から警備状態に切替え、ガスの流量が閾値以上である場合、警備状態に切り替えられない旨のメッセージを表示する。従って、別個にセンサ等を設けることなく簡易な構成で、ガスが使用されている状態、すなわちガスの流量が閾値以上の状態において警備モードを警備状態に切り替えてしまうことを防止して、監視領域の火災等の災害を軽減することができる。
【０１５１】
また、実施の形態３にかかる警備装置５００は、監視領域の警備モードが警備状態の場合において、ガスの流量が閾値以上である場合は、監視センタ３００にその旨の通報を行う。従って、警備モードの状態とガスの流量とを連動させることで、警備状態でガスの流量が閾値以上であることによる異常を通報し、監視領域の火災等の災害を軽減することができる。
【０１５２】
また、実施の形態３にかかる警備装置５００は、監視領域の警備モードが警備解除状態の場合において、ガスの使用が許可された時間帯を定めたスケジュールに基づいて、ガスの使用許可時間でない場合にガスの流量が閾値以上である場合は、ガスが使用されている旨を示すメッセージを表示する。このように、警備解除状態であってもガスの使用許可時間か否かを判断して、その結果によりメッセージの表示行うため、警備解除状態でもガスの使用状態を把握でき、監視領域の火災等の災害をより軽減することができる。
【０１５３】
なお、上述した実施の形態２、３の警備システムでは、遮断弁１０３および遮断弁コントローラ１０２を備えていない構成としているが（図１１参照）、遮断弁１０３および遮断弁コントローラ１０２を備えた実施の形態１の警備システム（図１参照）において実施することも可能である。
【０１５４】
また、上述した実施の形態１〜３では、切替情報や各種メッセージを表示制御部により表示装置に表示していたが、これに限定されることはなく、切替情報や各種メッセージを音声により出力してもよい。その場合は、表示装置の代わりにスピーカなどの出力装置を備え、表示制御部の代わりに出力制御部により当該出力装置の制御を行う構成とすることができる。
【０１５５】
また、上述した実施の形態１〜３では、ガスの使用が許可されていない時間帯には、ガスを使用することができない構成となっているが、ガスの使用が許可されていない時間帯でも、所定の操作を行えば、ガスの使用を可能とする構成としてもよい。この所定の操作とは、例えば、利用者に固有の識別情報であるパスワードの入力や、ＩＣカードやＩＣタグの使用などが挙げられる。
【図面の簡単な説明】
【０１５６】
【図１】実施の形態１にかかる警備装置を含む警備システムを示す図である。
【図２】実施の形態１にかかる警備装置の構成を示すブロック図である。
【図３】実施の形態１にかかる警備装置１００における警備状態切替処理の手順を示すフローチャートである。
【図４】実施の形態１にかかる警備装置１００における他の警備状態切替処理の手順を示すフローチャートである。
【図５】実施の形態１にかかる警備装置１００における通報処理の手順を示すフローチャートである。
【図６】実施の形態１にかかる警備装置１００における警備解除状態切替処理の手順を示すフローチャートである。
【図７】実施の形態１にかかる警備装置１００におけるガス使用許可確認処理の手順を示すフローチャートである。
【図８】ガス使用機器と警備装置１００における警備モードの状態とが連動していない場合の説明図である。
【図９】複数のガス栓を備えたガス使用機器と警備装置１００における警備モードの状態との連動の関係を示す説明図である。
【図１０】一つのガス栓を備えたガス使用機器と警備装置１００における警備モードの状態との連動の関係を示す説明図である。
【図１１】実施の形態２にかかる警備装置を含む警備システムを示す図である。
【図１２】実施の形態２にかかる警備装置４００の構成を示すブロック図である。
【図１３】実施の形態２にかかる警備装置４００における警備状態切替処理の手順を示すフローチャートである。
【図１４】実施の形態２にかかる警備装置４００における通報処理の手順を示すフローチャートである。
【図１５】実施の形態２にかかる警備装置４００におけるガス使用許可確認処理の手順を示すフローチャートである。
【図１６】実施の形態３にかかる警備装置５００の構成を示すブロック図である。
【図１７】監視領域における一日のガスの使用状況を示す説明図である。
【図１８】実施の形態３にかかる警備装置５００における警備状態切替処理の手順を示すフローチャートである。
【図１９】ガスの使用が許可された時間帯を定めたスケジュールと警備装置５００による警備状態への切り替え操作との連動の関係を示す説明図である。
【図２０】実施の形態３にかかる警備装置５００における通報処理の手順を示すフローチャートである。
【図２１】実施の形態３にかかる警備装置５００におけるガス使用許可確認処理の手順を示すフローチャートである。
【符号の説明】
【０１５７】
１００、４００、５００    警備装置
１０１    センサ
１０２    遮断弁コントローラ
１０３    遮断弁
１０４、４０４    ガス流量計測装置
１０５    ガス管
１０６    操作部
１１０    コントローラ
１１１    操作表示部
１２０    入出力制御部
１３０    通信制御部
１５０、４５０。５５０    制御部
１５１、４５１、５５１    警備モード切替部
１５２    警備モード記憶部
１５３、４５３、５５３    異常通報部
１５４    ガス栓開閉判断部
１５５    使用許可時間判断部
１５６、４５６、５５６    表示制御部
１７０    表示装置
１８０    スケジュール記憶部
２００    ネットワーク
３００    監視センタ
４５４、５５４    ガス使用判断部
【図１】
2010033458.tif 000003
【図２】
2010033458.tif 000004
【図３】
2010033458.tif 000005
【図４】
2010033458.tif 000006
【図５】
2010033458.tif 000007
【図６】
2010033458.tif 000008
【図７】
2010033458.tif 000009
【図８】
2010033458.tif 000010
【図９】
2010033458.tif 000011
【図１０】
2010033458.tif 000012
【図１１】
2010033458.tif 000013
【図１２】
2010033458.tif 000014
【図１３】
2010033458.tif 000015
【図１４】
2010033458.tif 000016
【図１５】
2010033458.tif 000017
【図１６】
2010033458.tif 000018
【図１７】
2010033458.tif 000019
【図１８】
2010033458.tif 000020
【図１９】
2010033458.tif 000021
【図２０】
2010033458.tif 000022
【図２１】
2010033458.tif 000023